(57)【要約】      （修正有）【課題】日常的に使用頻度が高く、家庭・公共施設・会社等で共用されることも多いキートップにおいて、薄い簡素な構成で汎用性に優れ、抗菌・抗ウイルス機能を具備することで接触感染予防を図ることができるキー貼付用シールを提供する。【解決手段】キー貼付用シール１は、剥離基材シートの表面に、抗菌・抗ウイルス機能を有する紙媒体から構成されてキートップに対応した記号・文字が印刷された複数のシール本体１０（１２）が粘着剤を介して配置されているとともに、複数のシール本体が粘着剤と一体に個別に剥離基材シートから剥離可能となるようにハーフカット部１１によって分離されている。【選択図】図１
0003230224.tif 000002
【実用新案登録請求の範囲】
【請求項１】
剥離基材シートの表面に、抗菌・抗ウイルス機能を有する紙媒体から構成されてキートップに対応した記号・文字が印刷された複数のシール本体が粘着剤を介して配置されているとともに、前記複数のシール本体が前記粘着剤と一体に個別に前記剥離基材シートから剥離可能となるようにハーフカット部によって分離されていることを特徴とするキートップ貼付用シール。
【請求項２】
請求項１に記載のキートップ貼付用シールであって、
前記複数のシール本体は、キートップ配列に対応して配置されている
ことを特徴とするキートップ貼付用シール。
【請求項３】
請求項１又は請求項２に記載のキートップ貼付用シールであって、
前記複数のシール本体は、
記号・文字が印刷されていない白紙の予備用シール本体をさらに備える
ことを特徴とするキートップ貼付用シール。
【考案の詳細な説明】
【技術分野】
【０００１】
本考案は、キートップに貼り付けて使用するキートップ貼付用シールに関する。
【背景技術】
【０００２】
従来から、例えば、パーソナルコンピュータ本体と電気的に接続されたキーボード、或いは、ノート型パーソナルコンピュータの躯体に設けられたキーボード等には、使用者が文字の操作情報を入力するための複数の機能キーが配置されている。
【０００３】
また、このようなキーボードには、耐久性に優れ、外観が良好となるとともに、入力時の操作性を長期に亘り良好に維持できるキーボードとすることを目的として、使用状態において下向きに突出する周壁を一体に備えた合成樹脂製のベース部と、このベース部を周壁を含めて覆うようにベース部よりも硬質な金属材料からなるカバーと、を備えた、キートップが知られている（例えば、特許文献１参照）。
【０００４】
より具体的には、カバーは、ベース部に上から被さるようなキャップ状を呈するとともに、それ単体でもキャップ形状を維持し得るような剛性を有している。また、ベース部とカバーとは、一体化されるように接着剤を介して互いに固定されている。
【０００５】
なお、カバーを構成する金属材料としては、耐食性に優れ、金属特有の質感が得られるステンレスを用いることが望ましい。また、このカバーには、抗菌処理を施すことも可能となっている。
【先行技術文献】
【特許文献】
【０００６】
【特許文献１】特開２００９−００９３８５号公報
【考案の概要】
【考案が解決しようとする課題】
【０００７】
ところが、上述したカバーにあっては、硬い金属製材料から構成されているとともに、周壁を含めたベース部の表面全体を覆うようにキャップ状に構成されている。このため、多数のキートップの全てに対応したカバーを別途に販売することが困難であるという問題が生じていた。
【０００８】
また、キートップの形状、例えば、Ｅｎｔｅｒキーは、単純な矩形の場合のほか、Ｌの字状であったり、大きさが異なるなどキーボードの種類によってさまざまであるため、上述したキャップ状とした場合の形状対策が煩雑となり、汎用性に乏しいという問題も生じていた。
【０００９】
さらに、ノート型パーソナルコンピュータや無線通信型のキーボードにあっては、扁平・軽量化の傾向にあり、キートップについても扁平化されつつある。この際、上述したキャップ型のカバーでは、特に不使用時にはモニタが重ね合わされるノート型パーソナルコンピュータのキートップに上記のカバーを取り付けることはできないという問題も生じていた。
【００１０】
一方、新型コロナウイルス感染症（ＣＯＶＩＤ−１９）の世界的な感染拡大を考慮すると、特に、複数の使用者を対象としたキーボードにあっては、使用者の指先が接触するキートップにおける接触感染対策として抗菌・抗ウイルス機能を具備するのが好ましい。
【００１１】
そこで、本考案は、日常的に使用頻度が高く、家庭・公共施設・会社等で共用されることも多いキートップにおいて、薄い簡素な構成で汎用性に優れ、抗菌・抗ウイルス機能を具備することで接触感染予防を図ることができるキートップ貼付用シールを提供することを目的とする。
【課題を解決するための手段】
【００１２】
上記目的を達成するために、本考案のキートップ貼付用シールは、剥離基材シートの表面に、抗菌・抗ウイルス機能を有する紙媒体から構成されてキートップに対応した記号・文字が印刷された複数のシール本体が粘着剤を介して配置されているとともに、前記複数のシール本体が前記粘着剤と一体に個別に前記剥離基材シートから剥離可能となるようにハーフカット部によって分離されている、ものである。
【００１３】
本考案は、剥離基材シート、粘着剤、紙媒体の簡素な三層構造の所謂シールで構成されている。
【００１４】
紙媒体は、付着した細菌の生育・増殖の抑制、ウイルスが付着した場合、紙表面との反応によりウイルスが変性し感染力が低減するなど、抗菌・抗ウイルス機能を備えている。
【００１５】
これにより、各々の効果が確認されている。この紙を使用したキートップのキー貼付用シールをキーの上面に貼付することにより、家庭および会社等で利用、共用されるＰＣでの接触感染予防が期待できる。
【考案の効果】
【００１６】
本考案によれば、日常的に使用頻度が高く、家庭・公共施設・会社等で共用されることも多いキートップにおいて、薄い簡素な構成で汎用性に優れ、抗菌・抗ウイルス機能を具備することで接触感染予防を図ることができる。
【図面の簡単な説明】
【００１７】
【図１】本考案に係るキートップ貼付用シールが印刷された印刷物の全体像を示す図である。
【図２】本考案に係るキートップ貼付用シールの各サイズを示す図である。
【図３】本考案に係るキートップ貼付用シールをキートップに貼り付けた状態の要部の断面図である。
【考案を実施するための形態】
【００１８】
次に、本考案の一実施形態に係るキートップ貼付用シールについて、図面を参照して説明する。なお、以下に示す実施形態は本考案のキートップ貼付用シールにおける好適な具体例であり、技術的に好ましい種々の限定を付している場合もあるが、本考案の技術範囲は、特に本考案を限定する記載がない限り、これらの態様に限定されるものではない。また、以下に示す実施形態における構成要素は適宜、既存の構成要素等との置き換えが可能であり、かつ、他の既存の構成要素との組み合せを含む様々なバリエーションが可能である。したがって、以下に示す実施の形態の記載をもって、実用新案登録請求の範囲に記載された考案の内容を限定するものではない。
【００１９】
図１に示すように、キートップ貼付用シールは、所謂シール構造を採用した枚葉のシート本体１を備える。
【００２０】
シート本体１は、パーソナルコンピュータ用（ノート型を含む）のキーボートにおけるキー配列、例えば、日本語１０６キーボード（ＪＩＳ  Ｘ  ６００２−１９８０）に対応したキー配列に準拠している。なお、一部（例えば、図の矢印キー等）はスペースの有効活用を考慮した配列となっている。
【００２１】
シート本体１は、図示を略する剥離基材シートの表面に、抗菌・抗ウイルス機能を有する紙媒体から構成されてキートップに対応した記号・文字が印刷された複数のシール本体１０が粘着剤（後述の図３参照）を介して配置されているとともに、この複数のシール本体１０が粘着剤と一体に個別に剥離基材シートから剥離可能となるようにハーフカット部１１によって分離されている。
【００２２】
紙媒体には、和紙に漆喰塗料をコーティングしたものが用いられ、天然素材に由来した人と環境とに優しい効果を有している。
【００２３】
この紙媒体の表面は漆喰と同じように消石灰による微細な細孔を多数備え、この最高部分に臭いの元となる分子を物理的に吸着し、消石灰との反応によって浄化することで臭いの元が分解され、消臭効果を発揮することができる。
【００２４】
また、ウイルスは咳やクシャミなどによる飛沫の中や吐しゃ物などの水分とともに存在するが、この水分中に含まれたウイルスが紙媒体の表面に付着すると、水分の侵入により消石灰の溶出が発生し、水分が強アルカリ性になり、ウイルスの変性を引き起こして感染性が軽減される。
【００２５】
その他、漆喰が備える抗菌機能・抗ウイルス機能・抗アレルゲン機能・ＶＯＣ吸着／除去機能等は、公知の各種実験データ等によって証明済みであるため、ここではその詳細な説明は省略する。
【００２６】
なお、紙媒体には、上述した和紙に漆喰塗料をコーティングしたもののほか、例えば、
原料に配合された二酸化チタンの光触媒により、消臭・抗菌機能を持つ紙
効果持続性の高い無機系抗菌剤である銀系無機抗菌剤を塗った紙
銅イオンを担持させたゼオライトを配合している紙
金属イオンを担持させた変性セルロースを原料とした紙
等を用いることができる。
【００２７】
複数のシール本体１０は、上述したように、キーボード用として適用した場合、キートップ配列に対応して配置されている。この際、複数のシール本体１０には、記号・文字が印刷されていない白紙の予備用シール本体１２を含ませることができる。
【００２８】
これらシール本体１０又は予備用シール本体１２としては、図２（Ａ）に示す文字や数字（記号）キー用のサイズ、図２（Ｂ）に示すＳｈｉｆｔ（大）キーやＥｎｔｅｒ（小）キー用のサイズ、図２（Ｃ）に示すＳｈｉｆｔ（小）キーやＴＡＢキー用のサイズ、図２（Ｄ）に示すスペースキー用のサイズ、図２（Ｅ）に示すＥｎｔｅｒ（大）キー用のサイズ、が用意され、適宜の文字・数字（記号）が印刷されている。
【００２９】
この際、キーボードに実装されているＥｎｔｅｒキーの形状や大きさは、単純な矩形でない場合やサイズが大きく異なる場合があるが、シール本体１０は実際に使用者が指で押下操作する範囲程度の大きさを有していれば使用上の問題は発生しないものと思われる。
【００３０】
また、例えば、ファンクションキーなどは文字・数字（記号）キーよりも小サイズの場合があるが、シール本体１０が紙製であるため、鋏やカッター等で適宜サイズに切断して使用することも可能である。
【００３１】
このような構成のシール本体１０（１２）は、図３に示すように、キーボード（全体図省略）のキートップ２０の上面２０ａに対して、文字や数字（記号）に対応させた状態で粘着剤１３を介して貼り付けるだけでよい。
【００３２】
キートップ２０は、プリント配線基板２１にシート状のラバースイッチ２２を介して配置され、キートップ２０を押下することによりラバースイッチ２２が屈曲し、プリント配線基板２１に設けたスイッチパターン２３とラバースイッチ２２に設けた接点２４とが導通して入力信号が出力される公知の構成である。なお、キートップ２０の押下後の復帰スプリング等の他の構成要素の図示は省略している。
【００３３】
なお、シール本体１０（１２）は、キートップ２０の上面２０ａの全面を覆う必要はなく、下地となるキートップ２０に付された文字・数字(記号）を隠せる程度の大きさがあれば、使用時の視認性及び操作性を阻害することなく機能を発揮することができる。
【００３４】
このように、抗菌・抗ウイルス機能を有する紙媒体を使用したシール本体１０（１２）を用い、これを各々のキートップ２０の上面２０ａに貼り付けることにより、細菌やウイルスが付着した場合でも、一定時間で細菌やウイルスの感染力を低減し、増殖を抑える効果を持たせることが可能となる。
【産業上の利用可能性】
【００３５】
本考案に係るキートップ貼付用シールは、日常的に使用頻度が高く、家庭・公共施設・会社等で共用されることも多いキートップにおいて、薄い簡素な構成で汎用性に優れ、抗菌・抗ウイルス機能を具備することで接触感染予防を図ることができるという効果を備え、例えば、上述したパーソナルコンピュータのキーボードに用いられるキートップに限定されるものではなく、例えば、公衆電話のダイヤルボタンに用いられるキートップ、ゲームセンターに設置されたゲーム操作ボタンに用いられるキートップ全般に適用可能である。
【符号の説明】
【００３６】
１            キートップ貼付用シール
１０            シール本体
１１            ハーフカット部
１２            予備用シール本体
１３            粘着剤
【図１】
0003230224.tif 000003
【図２】
0003230224.tif 000004
【図３】
0003230224.tif 000005